(57)【要約】      （修正有）【課題】  機械加工装置にワークを固定保持する加工テーブルにおいて、加工テーブル全体にほぼ均一な超音波振動を与え、機械加工速度および加工精度を向上させることを提供すること。【解決手段】  フロントマス２の超音波放射面と反対側の面に４組のサポート台７、圧電セラミック４、リアマス３を４本のボルト６により締め付け一体化し、１個のボルト締めランジュバン型超音波振動子１を構成する。そしてボルト締めランジュバン型超音波振動子１の振動の節を支持する４個のサポート台７をベース台１０に取り付ける。【選択図】 図２
2006142468.tif 000002
【特許請求の範囲】
【発明の詳細な説明】
【技術分野】
【０００１】  本発明は、ガラス、セラミック、シリコーン、チタン、超硬金属などの難切削材料および一般の金属材料、有機材料、無機材料およびそれらを複合化した材料の切断、研削及び研磨加工に用いられる超音波振動テーブルに関するものである。
【背景技術】
【０００２】  一般に、ガラス、セラミック、シリコーン、チタン、超硬金属などの硬度が高い脆性材料を切断、研削等の加工を施すことは、非常に困難であり従来から工具に超音波振動を加え加工することが行われている。このような超音波切削加工は、切削抵抗が低減するため、切削ツールの摩擦熱が少なく加工面の熱歪が少なくなり、切削ツールの寿命が長くなると共に、加工精度の向上につながってくる。なお超音波切削加工について「超音波便覧」（丸善株式会社、平成１１年発行）６７９〜６８４ページに詳しく記載されている。【０００３】また、ワークを固定するテーブルに振動を与え、これをワークに伝播させ、振動切削加工を行うことが従来よりよく知られていることである。例えば、図１５に示す特開２００２−３５５７２６号公報の超音波振動テーブルは、工作機械のベッドに取り付けられ加工されるワークを固定可能にするテーブル装置であり、その概略の構成は以下の通りである。  まず、振動を発生する超音波振動子がある。そしてその超音波振動を増幅し、振動テーブルに伝達するためのアルミニム製の伝達ホーンがある。この伝達ホーンは超音波振動子と接する面は超音波振動子と同じ直径であるが外フランジより上部ではそれよりも直径は小さくなっている。そして、ケーシングの内フランジに外フランジをゴム板を挟んだ状態でボルト部材によって締結固定されている。  また、振動テーブルの下部から下方に突き出し、ケーシングの外側に形成された案内用凹部に挿入されて振動テーブルの横移動を制限しながら上下方向に案内するガイド部材を有している。【０００４】  さらに別の方式として図１６の平面図、図１７の側面図に示す特開２００３−２２０５３０号公報には、加工対象物（ワーク）を固定保持するテーブル９の下面に３個のボルト締めランジュバン型超音波振動子１が固定され、テーブル９の下面が本体ケース１６に接続されている構成の超音波振動テーブルが開示されている。そしてこれらのボルト締めランジュバン型超音波振動子１によって円盤状のテーブル９の上側表面に仮固定された加工対象物に超音波振動を付与することにより、硬脆材料から形成された加工対象物の極微小径穴あけ加工や溝入れ加工が容易になるとされている。
【発明の開示】
【発明が解決しようとする課題】
【０００５】  しかしながら、超音波切削加工においては、工具が大型化した場合は、ワークと接触する工具の加工部分に均一な超音波振動を与えることが非常に難しい。また、工具が小型化した場合、超音波振動を与える装置も小型化しなければならない。超音波振動装置が小型化すればするほど工具に与えられる振動エネルギーは小さくなってしまう。このため、工具が小型であるときは、超音波切削加工能力は小さくなってしまう欠点がある。【０００６】一方、上記の超音波振動テーブルは、工具の形状と関係なく振動させることができる。しかし、図１５に示す特開２００２−３５５７２６号公報の超音波振動テーブルは、１個の超音波振動子の超音波放射面の面積がテーブルの面積に比較して小さいため図１８に示すようにテーブル９全体には均一に振動変位が得られないという欠点がある。図１８の一点鎖線は振動していないときのテーブル９の中心線を示す。そして二点鎖線はテーブル９が振動しているときの振幅幅を示している。  また、伝達ホーンにより超音波振動子の振動変位を増幅しているが、テーブルの１５ＫＨｚ以上の超音波振動においてはその振幅量は１０ミクロン以下でよい。そのような時は増幅するための伝達ホーンは不要である。そして、振動変位を増幅度と逆比例的にテーブルあるいはワークの重量により超音波振動テーブルの振動が大きく影響されるという問題点がある。  さらに振動するテーブル９と本来振動してはならないケーシングがガイド部材を通して接続するため、テーブル９の振動が抑制され、ケーシングまたはベースに振動が漏れる。このため同じ振動変位をテーブルが持つためにより多くの電力を投入しなければならないため発熱の問題が生じる。そして超音波振動テーブルを取り付けた加工装置に不要な振動が伝達してしまい加工装置の性能を低下させてしまうという問題点もある。【０００７】  図１６、図１７に示す特開２００３−２２０５３０号公報の超音波振動テーブルは、テーブル９の下面の外周部が本体ケース１６に接続されているため、特開２００２−３５５７２６号公報の超音波振動テーブルと同様に振動するテーブル９と本来振動してはならない本体ケース１６が固着しているため、テーブル９の振動が抑制され、本体ケース１６またはベースに振動が漏れる。このため同じ振動変位をテーブルが持つためにより多くの電力を投入しなければならないため発熱の問題が生じる。そして超音波振動テーブルを取り付けた加工装置に不要な振動が伝達してしまい加工装置の性能を低下させてしまうという問題点もある。  また、テーブル９にだけ３個のボルト締めランジュバン型超音波振動子が固定されている。このため、図１９に示すように本体ケース１６との固着部が節となりテーブル９の中央部が振動の腹となる、いわば太鼓の振動モードとほぼ同じようになる。なお、一点鎖線は振動していないときのテーブル９の中心線を示す。そして二点鎖線はテーブルが振動しているときの振幅幅を示している。  したがって、テーブルの中で大きな振動変位の差が出現するので、場所により、超音波加工の効果が発揮できないという問題点がある。  さらに、この構成においてテーブルあるいは機械的負荷であるワークの重量が大きくなると、テーブルあるい���ワークが振動の節に、そしてテーブル側と反対のボルト締めランジュバン型超音波振動子の面が振動の腹に近い状態になる。つまり、テーブルあるいはワークの重量により、テーブルの振幅量が大きく変化するという問題点がある。  本発明の目的は上述の問題点を解消する超音波振動テーブルを提供することにある。
【課題を解決するための手段】
【０００８】本発明は、工作機械に取り付けられ加工されるワークを固定保持する超音波振動テーブル装置において、一つのフロントマスに対してフロントマスの底面と平行な面に２個以上の圧電セラミックを持つボルト締めランジュバン型超音波振動子が用いられている超音波振動テーブル装置とするものである。【０００９】前記のボルト締めランジュバン型超音波振動子の振動の節部にサポート台を備え、そのサポート台がベース台に接続されている超音波振動テーブル装置とするものである。
【発明の効果】
【００１０】  本発明の超音波振動テーブルは、テーブル表面にほぼ均一の大きさの超音波振動が励起できるので、この面に保持固定されるワークにも場所によらず、ほぼ均一の大きさの超音波振動が伝播する。その結果、テーブルに保持固定されるワークの位置及びワークの大きさにほぼ影響を受けることなく、前記保持固定されたワークの加工速度の向上と難加工材料の加工および加工精度の向上が可能となる。
【発明を実施するための最良の形態】
【００１１】  本発明を、添付の図面を用いて説明する。図１は、本発明の超音波振動テーブルに用いるボルト締めランジュバン型超音波振動子をベース台に固定した平面図であり、そして図２はその側面図である。【００１２】  ボルト締めランジュバン型超音波振動子については、「超音波工学」（丸善株式会社コロナ社、１９９３年発行）１２〜２２ページに詳しく記載されている。  一般的なボルト締めランジュバン型超音波振動子１の構成を図２０の平面図および図２０のＡ−Ａ線で切断した側面断面図を図２１に示す。電極板５の両側に圧電セラミック４を配置し、その外側にフロントマス２とリアマス３を配置し、これらをボルト６とナット１７で締め付けて一体化した振動子をボルト締めランジュバン型超音波振動子１と呼んでいる。出力側のフロントマス２には連結ねじが設けてある。このボルト締めランジュバン型超音波振動子は、ある周波数の交番電界が圧電セラミックに加わることによって生ずる振動が機械的接合面を通して金属ブロック（フロントマスとリアマス）を含めた範囲で定在波を発生したとき、機械的共振を起こす。【００１３】  図１及び図２に示すベース台１０に取り付けたボルト締めランジュバン型超音波振動子１は、超音波振動テーブル用に設計および製作したものであり、フロントマス２に密度が約７９００ｋｇ／ｍ３のステンレス材料であるＳＵＳ３０３を使用している。フロントマス２の超音波放射面の形状は１辺が９０ｍｍの正方形であり、またその厚さは４０ｍｍである。また、フロントマス２の超音波放射面にはテーブルを接合するためのメネジが設けられている。フロントマス２の超音波放射面と反対側の面にも４個のメネジが設けられている。ただし、メネジ部は図面を簡単化するために省略した。  また、振動の節を支持するためとベース台１０に取り付けるためのステンレスＳＵＳ３０３製の４個のサポート台７がある。そしてそのサポート台７の形状は、円筒形をしている。ボルトにより接合される部分の厚さは３ｍｍである。圧電素子はＰＺＴ系圧電セラミック４ａ、４ｂであり、形状は外径３６ｍｍφ、内径１６ｍｍφそして厚さ５ｍｍである。そしてその機械的品質係数Ｑは、１０００を超えるｈｉｇｈＱ材である。リアマス３もステンレス材料であるＳＵＳ３０３である。また、２個の圧電セラミック４ａ、４ｂの間にあるリン青銅製の電極板がある。形状は外径３６ｍｍφ、内径１４．５ｍｍφそして厚さ０．２５ｍｍである。さらに、これらを締め付け一体化するためのボルト６は同じくステンレス製であり、ＳＵＳ３０３である。サポート台の下面からボルトの頂面までの距離は約４０ｍｍである。  ボルト締めランジュバン型超音波振動子１は、フロントマス、サポート台、圧電セラミックおよびリアマスにボルトを通し、フロントマスに設けられたメネジとボルトによりこれらを締め付け一体化し製作する。【００１４】  上記の構成は、一つのフロントマス２に対してフロントマス２の底面と平行な面に４個の圧電セラミック４ａ、４ｃ、４ｅ、４ｇを持つので、１個の圧電セラミック持つものに比較して、フロントマス２を一様に縦振動させるのに適したものである。  すなわち、一つのフロントマスに対してフロントマスの底面と平行な面に２個以上の圧電セラミックを持つボルト締めランジュバン型超音波振動子にすることでフロントマスの放射面により一様な振動を励起させることができる。  また、従来のボルト締めランジュバン型超音波振動子１では、縦振動を効率よく励起するにはフロントマスの最大径に対してその全長は約２倍以上が必要であるが、上記の構成では全長を２倍以下にすることができるので全長を小さくできる。  さらに、フロントマス１の超音波放射面の面積が圧電セラミックの外周が作る面積に対して３倍以下好ましくは２．５倍以下であるとフロントマスの前面で、より均一な縦振動を励起できる。フロントマスの超音波放射面の面積が圧電セラミックの外周が作る面積に対して３倍より大きくなると、フロントマスに曲げ振動が励起される恐れが大きくなる。【００１５】  前記のボルト締めランジュバン型超音波振動子１の振動の節部にサポート台７を備え、そのサポート台７がベース台１０に接続されているので、ランジュバン型超音波振動子１の振動が他の部分に伝播しないので効率高く振動させることができる。また、サポート台７はサポート板とサポート棒を組み合わせ製作することもできる。【００１６】  また、ボルト締めランジュバン型超音波振動子の振動が他の装置等に伝播し、その装置に損傷などを与えることがない。【００１７】  さらに、ボルト締めランジュバン型超音波振動子１の１個のフロントマス２に対して４個のサポート台７ａ，７ｂ、７ｃ、７ｄを持っているので振動の節の位置を理想に近い分布にすることができる。  すなわち複数のサポート台を持つことにより理想に近い振動の節を得ることができる。【００１８】  図３は、上述したボルト締めランジュバン型超音波振動子１ａ、１ｂ、１ｃ、１ｄを用いた本発明の超音波振動テーブル８の一例を示す平面図であり、そして図４はその側面図である。アルミ製のテーブル９の形状は一辺が約２２０ｍｍの正方形の板状でありその板厚は１０ｍｍである。テーブル９にはボルト締めランジュバン型超音波振動子１ａ、１ｂ、１ｃ、１ｄと接合する穴、そしてワークまたはワークを固定する固定板をテーブルに固定するための固定具を取り付けるメネジが設けられている。ベース台１０に取り付けた４個のボルト締めランジュバン型超音波振動子１ａ、１ｂ、１ｃ、１ｄは図１、２に示したものである。ベース台１０の概略の形状は正方形板であり、正方形の一辺は約２４０ｍｍ、厚さ１５ｍｍである。ベース台１０の材料はＳＵＳ３０３である。ベース台１０にはボルト締めランジュバン型超音波振動子１のサポート台７と接合するメネジ、そして加工装置に取り付けるための穴が四隅付近に設けられている。  超音波振動テーブル８の組み立ては、以下のようにする。まず４個のボルト締めランジュバン型超音波振動子１ａ、１ｂ、１ｃ、１ｄのサポート台７とベース台１０はネジで接合する。次にアルミ製のテーブル９と４個のボルト締めランジュバン型超音波振動子１ａ、１ｂ、１ｃ、１ｄのフロントマス２をネジで接合する。この際、合わせてエポキシ樹脂で接合してもよい。【００１９】  次にこの超音波振動テーブル８の動作例について説明する。図５は図３、図４に示した超音波振動テーブル８のテーブル、固定具、固定板およびワークだけを示す平面図、そして、図６はその側面図である。これ以外は図面の都合上図示することを省略した。  ダイサーにこの超音波振動テーブル８を取り付ける。そして切削すべきセラッミク製のワーク１１を固定するカーボン製の固定板１４にワックスで仮接合する。カーボン板はワークとともに切断されるが、それより下の位置の部材にはダメージを与えないために使用される。さらにワーク１１を取り付けたカーボン製の固定板１４を固定具１５にワックスを用いて仮接合する。固定具１５はボルト６によりテーブル９に固着する。なお、テーブル９にワーク１１を含む固定板１４を保持固定するには、ワックスによる接着、テーブルにネジ等により固定する、真空装置により固定する、磁気的に固定する、静電的に固定する、冷凍して固定するなどの方法がある。【００２０】  次に、４個のボルト締めランジュバン型超音波振動子１ａ、１ｂ、１ｃ、１ｄに超音波発振器からの約２０Ｋｈｚの交流電圧を印加する。これにより４個のボルト締めランジュバン型超音波振動子１ａ、１ｂ、１ｃ、１ｄは超音波振動する。【００２１】  この超音波振動テーブル８のテーブルはほぼ一様な縦振動する。これはボルト締めランジュバン型超音波振動子１のフロントマスの振動放射面の面積が大きく、一様な縦振動をするので、その上に取り付けられたテーブル９は、ほぼ一様な縦振動する。  テーブル９の面積に対して、ボルト締めランジュバン型超音波振動子１のフロントマスの面積が４０％以上望ましくは５０％以上であると、テーブルは、ほぼ一様な縦振動する。【００２２】  テーブルの面積に対して、テーブルと接するボルト締めランジュバン型超音波振動子のフロントマスの面積が４０％より小さいとテーブルに曲げ振動が励起されやすくなり、テーブルに一様な縦振動を励起できなくなる恐れがある。【００２３】  超音波振動テーブルを動作させると、ボルト締めランジュバン型超音波振動子の振動はアルミ製のテーブルを通してワークに伝播する。ワークに超音波振動が励起されると、超音波加工の効果によりダイサーの切断能力は大きく向上する。【００２４】  切断効果の具体的な数値ではダイサーのスピンドル電流が約２０パーセント低くなり、ブレードの消耗量は約４０パーセント小さくなった。【００２５】  これは「超音波便覧」（丸善株式会社、平成１１年発行）６７９〜６８４ページに詳しく記載されている効果である。つまり、超音波切削加工は、切削抵抗が低減するため、切削ツールの摩擦熱が少なく加工面の熱歪が少なくなり、切削ツールの寿命が長くなることを証明している。【００２６】  また、ダイサーの加工条件を変えても同様の効果が確認できた。さらに切断されたセラッミク製のワークのチッピングも大幅に減少した。このように加工精度の向上にもつながった。これについても「超音波便覧」（丸善株式会社、平成１１年発行）６７９〜６８４ページに詳しく記載されている内容の効果が確認された。【００２７】  最適な超音波振動テーブルを構成するには、上述したボルト締めランジュバン型超音波振動子の形状と同じようにボルト締めランジュバン型超音波振動子１の支持方法が重要である。【００２８】  超音波振動テーブルが安定して動作するためには、機械的負荷��加わってもテーブルが上下に平面的に振動すること、そして振動の節の位置が変化しないことが望まれる。これを実現する構成は図３、図４が示すようにボルト締めランジュバン型超音波振動子の振動の節をサポート台によりベース台に固定する必要がある。【００２９】  また、振動の節の位置付近には圧電セラミックがあるようにすることが望ましい。なぜなら、圧電セラミックは引張り応力に対して金属材料に比較して弱い。そのため圧電セラミックは振動の節の近傍にあり常に圧縮応力が加わっている状態にしておく必要がある。  そのためにも図３、図４が示すようにボルト締めランジュバン型超音波振動子の振動の節をサポート台によりベース台に固定する必要がある。【００３０】  さらに超音波振動テーブルの振動の節位置がボルト締めランジュバン型超音波振動子の節位置だけあることが望ましい。なぜなら他の位置に節があるとは圧電セラミックに引張り応力が作用してしまい圧電セラミックの破損の恐れがある。  そのための構成としては、図３、図４が示すようにボルト締めランジュバン型超音波振動子の節部をベース台に固定する必要がある。【００３１】  特開２００２−３５５７２６号公報および特開２００３−２２０５３０号公報のようにテーブルがベース台に接続されている構成は、テーブルが節になる可能性があるため望ましくない。  必要な構成は図３、図４が示すようにボルト締めランジュバン型超音波振動子のフロントマスにテーブルが接合されているだけで、他とは一切接続されていないことである。【００３２】  また、超音波振動テーブルのテーブル面積がフロントマスの超音波放射面の面積に比較して２．５倍以上であるときは、テーブルの振動分布が悪くなってしまうのでこれを改善するために、２個以上のボルト締めランジュバン型超音波振動子を配置して、テーブル面積がフロントマスの超音波放射面の面積に対して２．５倍以下にすることが望ましい。【００３３】  さらに、超音波振動テーブルのテーブル面積がフロントマスの超音波放射面の面積に比較して２．５倍以上であるときは、テーブルの自重およびワークなどの重量により撓む恐れがあり精密加工用のテーブルとしては不適になるという問題もある。【００３４】  特開２００３−２２０５３０号公報のようにテーブル下面にボルト締めランジュバン型超音波振動子が接合された構成は、テーブルの端部だけで支持しているのでボルト締めランジュバン型超音波振動子の数が増えるほど中央部が撓んでしまう。このような構成では高精度のテーブル装置として不適である。【００３５】  超音波振動テーブルのテーブル面積が大きいときに必要な構成は、テーブル下面を複数の面で支持する構成がテーブルの剛性を高めるために望ましい。これに最適な構成は図３、図４が示すように２個以上のボルト締めランジュバン型超音波振動子のフロントマスをテーブル接合し、さらにボルト締めランジュバン型超音波振動子の節部をベース台に接続固定するものである。【００３６】  本発明の別の形態として、図７の平面図、図８の側面図に示すベース台１０に取り付けられたボルト締めランジュバン型超音波振動子１を示す。このフロントマス２の表面にメネジを設けている。このフロントマス２に直接ワークそし���ワークを取り付けた固定板などを固定できるので、このままでも超音波振動テーブルとなる。  フロントマス２とサポート板１２、２個の圧電セラミックを１組とする１６組の圧電セラミック４、電極板そしてリアマス３をボルト６により締め付けボルト締めランジュバン型超音波振動子１とする。そしてこのボルト締めランジュバン型超音波振動子１はサポート板１２に取り付けられた２５本のサポート棒１３によりベース台１０に取り付けられることにより支持される。  またこの構成においてフロントマス２とサポート板１２を一体化することもできる。すなわち、フロントマス２に直接２５本１３のサポート棒を接合してもよい。  このような構成にすることで大きな面積を必要とする超音波振動テーブルでも１つのボルト締めランジュバン型超音波振動子１用いるだけでよいため、組み立てが簡単になる。【００３７】  図９の平面図、図１０の側面図に示すベース台１０に取り付けられたボルト締めランジュバン型超音波振動子１を示す。これは図７の平面図、図８の側面図に示したベース台１０に取り付けられたボルト締めランジュバン型超音波振動子１の圧電セラミック４の位置をサポート板１２の両側に変更したものである。  サポート板１２の両側に圧電セラミック４ａ、４ｂ、４ｃ、４ｄを配置しているのでボルト締めランジュバン型超音波振動子１を振動させたときに圧電セラミックの変位が最も小さいので圧電セラミックの破損の心配が一番小さい。【００３８】  図１１の平面図、図１２の側面図に示すベース台１０に取り付けられたボルト締めランジュバン型超音波振動子１を示す。これは図７の平面図、図８の側面図に示したベース台に取り付けられたボルト締めランジュバン型超音波振動子１の圧電セラミック４ａ、４ｂの位置をサポート板１２の上側に変更したものである。  サポート板１２の上側に圧電セラミックを配置しているのでフロントマスの縦振動の変位量が大きくできるので大きな振動変位量が必要なときに適している。【００３９】  図７の平面図、図８の側面図に示すボルト締めランジュバン型超音波振動子１のフロントマス２の別の構成を図１３の平面図、図１４の側面図に示す。フロントマス２に超音波振動が縦方向だけに伝播するように振動の伝播方向に沿ってスリット１８を設ける。  このような構成にすることでより一様な縦振動を励起する超音波振動テーブルを提供できる。【００４０】  なお超音波振動テーブルは、振動数が１５ＫＨｚ以下になってしまうと騒音が大きくなってしまい、１００ＫＨｚを超えるランジュバン型の超音波振動子の振動振幅は小さく振動テーブルの振動源としては適さない。【００４１】  したがって、超音波振動テーブルは、ボルト締めランジュバン型超音波振動子に印加する交流電圧の周波数が１５Ｋｈｚ以上、１００Ｋｈｚ以下であることが望ましい。
【産業上の利用可能性】
【００４２】  本発明の超音波振動テーブルは、機械加工設備などにおいて使用される加工テーブルとして用いることができる。
【図面の簡単な説明】
【００４３】
【図１】本発明の超音波振動テーブルに用いるボルト締めランジュバン型超音波振動子をベース台に取り付けた平面図である。
【図２】「図１」のＡ?Ａ線においての断面側面図である。
【図３】本発明の超音波振動テーブルの構成を示す平面図である。
【図４】「図３」の一部は断面を含む側面図である。
【図５】テーブルにワーク、固定板および固定具を取り付けた平面図である。
【図６】テーブルにワーク、固定板および固定具を取り付けた側面図である。
【図７】本発明の別の形態の超音波振動テーブルに用いるボルト締めランジュバン型超音波振動子をベース台に取り付けた平面図である。
【図８】「図７」の側面図である。
【図９】「図７」の構成において圧電セラミックの位置をサポート板の両側に位置させた平面図である。
【図１０】「図９」の側面図である。
【図１１】「図７」の構成において圧電セラミックの位置をサポート板の下側に位置させた平面図である。
【図１２】「図１１」の側面図である。
【図１３】スリットを設けたフロントマスの平面図である。
【図１４】スリットを設けたフロントマスの側面図である。
【図１５】従来の超音波振動テーブルを示す図である。
【図１６】従来の別の超音波振動テーブルを示す平面図である。
【図１７】従来の別の超音波振動テーブルを示す側面図である。
【図１８】従来の超音波振動テーブルのテーブル面の振動変位を示す図である。
【図１９】従来の別の超音波振動テーブルのテーブル面の振動変位を示す図である。
【図２０】従来のボルト締めランジュバン型超音波振動子の平面図である。
【図２１】従来のボルト締めランジュバン型超音波振動子の側面断面図である。
【符号の説明】
【００４４】１    ボルト締めランジュバン型超音波振動子２    フロントマス３    リアマス４    圧電セラミック５    電極板６    ボルト７    サポート台８    超音波振動テーブル９    テーブル１０  ベース台１１  ワーク１２  サポート板１３  サポート棒１４  固定板１５  固定具１６  本体ケース１７  ナット１８  スリット
【図１】
2006142468.tif 000003
【図２】
2006142468.tif 000004
【図３】
2006142468.tif 000005
【図４】
2006142468.tif 000006
【図５】
2006142468.tif 000007
【図６】
2006142468.tif 000008
【図７】
2006142468.tif 000009
【図８】
2006142468.tif 000010
【図９】
2006142468.tif 000011
【図１０】
2006142468.tif 000012
【図１１】
2006142468.tif 000013
【図１２】
2006142468.tif 000014
【図１３】
2006142468.tif 000015
【図１４】
2006142468.tif 000016
【図１５】
2006142468.tif 000017
【図１６】
2006142468.tif 000018
【図１７】
2006142468.tif 000019
【図１８】
2006142468.tif 000020
【図１９】
2006142468.tif 000021
【図２０】
2006142468.tif 000022
【図２１】
2006142468.tif 000023
【手続補正書】
【提出日】平成17年2月24日(2005.2.24)
【手続補正１】
【補正対象書類名】特許請求の範囲
【補正対象項目名】全文
【補正方法】変更
【補正の内容】
【特許請求の範囲】
【請求項１】
工作機械に取り付けられ加工されるワークを固定保持する超音波振動テーブル装置において、１個のフロントマスに対してフロントマスの底面と平行な面に２個以上の圧電セラミックを持つボルト締めランジュバン型超音波振動子が用いられていることを特徴とする超音波振動テーブル装置。
【請求項２】
前記のボルト締めランジュバン型超音波振動子の振動の節部にサポート台を備え、そのサポート台がベース台に接続されていることを特徴とする請求項１に記載の超音波振動テーブル装置。